(57)【要約】【課題】ねじ止め作業や軸着作業を行うことなく、ヘッドレストを簡単かつ迅速に枕支持杆に取り付けることができる椅子のヘッドレスト装置を提供する。【解決手段】背凭れの上部より起立する枕支持杆１０の上端部に、前端に拡幅頭部４９ｂを有する前方を向く左右１対の有頭軸４９を突設し、枕支持杆１０の上端部における左右の有頭軸４９の突設部を互いに内方に向かって弾性撓曲可能とし、ヘッドレスト１１の後面に、両有頭軸４９を互いに近づけたときに、両拡幅頭部４９ｂが挿通しうる左右１対の拡大孔５７と、各拡大孔５７の外側に連設され、両有頭軸４９が原位置に復帰したときに、有頭軸４９の軸部４９ａが係合しうるとともに、拡幅頭部４９ｂより狭幅とした上下方向を向く長孔５５とを設ける。【選択図】　　　　図１０
2004057399.tif 000002
【特許請求の範囲】
【請求項１】
背凭れの上部より起立する枕支持杆の上端部に、前端に拡幅頭部を有する前方を向く左右１対の有頭軸を突設し、前記枕支持杆の上端部における左右の有頭軸の突設部を互いに内方に向かって弾性撓曲可能とし、ヘッドレストの後面に、前記両有頭軸を互いに近づけたときに、両拡幅頭部が挿通しうる左右１対の拡大孔と、各拡大孔の外側に連設され、前記両有頭軸が原位置に復帰したときに、有頭軸の軸部が係合しうるとともに、前記拡幅頭部より狭幅の縮小孔とを設け、各有頭軸の軸部を前記縮小孔に係合させることにより、ヘッドレストを枕支持杆の上端部に取り付けたことを特徴とする椅子のヘッドレスト装置。
【請求項２】
枕支持杆の上端部を左右方向に二股に分岐し、各分岐部の上端部に有頭軸を設け、両分岐部を左右方向に弾性撓曲しうるようにした請求項１記載の椅子のヘッドレスト装置。
【請求項３】
縮小孔を、上下方向を向く長孔とした請求項１または２記載の椅子のヘッドレスト装置。
【発明の詳細な説明】
【０００１】
【発明の属する技術分野】
本発明は、椅子のヘッドレスト装置、特に、背凭れの上部より起立する枕支持杆の上端部へのヘッドレストの取付構造に関する。
【０００２】
【従来の技術】
従来のこの種の装置としては、背凭れの上部より起立する枕支持杆の上端部に、ヘッドレストをねじ止めするか、または左右方向を向く軸をもって枢着したものが一般的である。
【０００３】
【発明が解決しようとする課題】
しかし、上述のような従来の装置では、ねじ止め作業や軸着作業が繁雑であり、組み付けに時間がかかるという問題がある。
【０００４】
本発明は、従来の技術が有する上記のような問題点に鑑み、ねじ止め作業や軸着作業を行うことなく、ヘッドレストを簡単かつ迅速に枕支持杆に取り付けることができるようにした椅子のヘッドレスト装置を提供することを目的としている。
【０００５】
【課題を解決するための手段】
本発明によると、上記課題は次のようにして解決される。
（１）　背凭れの上部より起立する枕支持杆の上端部に、前端に拡幅頭部を有する前方を向く左右１対の有頭軸を突設し、前記枕支持杆の上端部における左右の有頭軸の突設部を互いに内方に向かって弾性撓曲可能とし、ヘッドレストの後面に、前記両有頭軸を互いに近づけたときに、両拡幅頭部が挿通しうる左右１対の拡大孔と、各拡大孔の外側に連設され、前記両有頭軸が原位置に復帰したときに、有頭軸の軸部が係合しうるとともに、前記拡幅頭部より狭幅の縮小孔とを設け、各有頭軸の軸部を前記縮小孔に係合させることにより、ヘッドレストを枕支持杆の上端部に取り付ける。
【０００６】
（２）　上記（１）項において、枕支持杆の上端部を左右方向に二股に分岐し、各分岐部の上端部に有頭軸を設け、両分岐部を左右方向に弾性撓曲しうるようにする。
【０００７】
（３）　上記（１）または（２）項において、縮小孔を、上下方向を向く長孔とする。
【０００８】
【発明の実施の形態】
以下、本発明の実施の形態を、添付図面を参照して説明する。
図１〜図１１は、本発明の一実施形態を備える椅子を示す。
【０００９】
図１〜図３に示すように、この椅子は、脚（１）によって支持された支基（２）に、座（３）と背凭れ（４）とが互いに連動して後傾し得るようにして装着されている。
【００１０】
背凭れ（４）は、前方を向く水平部（６ａ）（６ａ）の前端部が支基（２）に左右方向を向く軸（５）をもって枢着された側面視Ｌ字状をなす左右１対の背凭れ支持杆（６）（６）と、この背凭れ支持杆（６）（６）における水平部（６ａ）（６ａ）の後端から起立する起立部（６ｂ）（６ｂ）の上端同士を連結する左右方向を向く上部フレーム（７）と、両背凭れ支持杆（６）（６）における起立部の上部と下部との４個所に取り付けられ、着座者の背を直接受けるネット材よりなる背当部材（８）とからなっている。
【００１１】
なお、背凭れ（４）を、背凭れ支持杆（６）（６）と上部フレーム（７）とが、厚肉の背当部材（８）内に一体的に埋設されたものとしてもよい。
【００１２】
この実施形態では、背凭れ（４）における上部フレーム（７）に、ヘッドレスト装置（９）が取り付けられている。
ヘッドレスト装置（９）は、下端部が上部フレーム（７）に左右方向を向く軸回りに角度調節可能として枢着され、かつ長手方向に伸縮可能としたほぼ上下方向を向く枕支持杆（１０）の上端部に、ヘッドレスト（１１）を、左右方向を向く軸回りに角度調節可能として枢着したものよりなっている。
【００１３】
図４〜図８に示すように、枕支持杆（１０）は、下端部が上部フレーム（７）に枢着され、ほぼ上方を向くとともに、前面（側面）に縦長方形の開口（１２）が設けられた平面視ほぼ三角形状の支持筒（１３）と、この支持筒（１３）内に上方より摺動自在に嵌合され、かつ上端部にヘッドレスト支持部（１４）が形成されるとともに、上記開口（１２）に対向する面に、被係合部である左右方向を向く複数の凹溝（１５）が上下多段状に設けられた昇降杆（１６）と、上記開口（１２）を閉塞するように支持筒（１３）の前面に着脱自在に設けられ、かつ昇降杆（１６）の複数の凹溝（１５）に選択的に弾性係合することにより、昇降杆（１６）を所望の高さに保持しうる弾性変形可能な係合部である左右方向を向く丸棒状の突条（１７）を有する閉塞部材（１８）とを備えている。
【００１４】
支持筒（１３）の下端部は、左右方向に逆Ｖ字状の二股状をなして分岐し、両分岐部（１９）（１９）の下端部には、左右方向を向く筒部（２０）（２０）がそれぞれ設けられている。
【００１５】
各筒部（２０）は、上部フレーム（７）に止めねじ（２１）をもって固着された左右１対の支持部材（支持部）（２２）（２２）の内側面に、左右方向を向く軸（２３）をもって枢着されている。
【００１６】
図４に示すように、この軸（２３）は、拡径鍔部（２４）の両側に、雄ねじ部（２５）（２６）を有し、かつ長い方の雄ねじ部（２６）の基部の外周面にスパナ掛け用の１対の平削面（２７）が形成された鍔付ボルトにより形成されている。
【００１７】
一方の雄ねじ部（２５）は、支持部材（２２）を貫通して、その先端部に螺合する袋ナット（２８）を締付けることにより、支持部材（２２）に、他方の雄ねじ部（２６）が互いに内方を向くようにして、固着されている。
【００１８】
他方の雄ねじ部（２６）には、左右の筒部（２０）の内面における中間部に設けられた内向き鍔部（２９）の中央孔（３０）が挿通されるとともに、拡径鍔部（２４）と内向き鍔部（２９）との間、及び内向き鍔部（２９）と、雄ねじ部（２６）に螺合した締め付け手段をなす袋ナット（３１）との間に、弾性体である１個または複数個の皿ばね（３２）と１個または複数個の摩擦板（３３）とからなる抵抗力付与手段（３４）をそれぞれ介在させて、袋ナット（３１）を締め付けることにより、支持筒（１３）の軸（２３）まわりの回動に所要の抵抗力を付与しうるようになっている。この抵抗力は、袋ナット（３１）の締め付け量を調節することにより、調節することができる。
【００１９】
なお、図４に示す例では、筒部（２０）の内向き鍔部（２９）より外側の抵抗力付与手段（３４）は、１個の皿ばね（３２）と３個の摩擦板（３３）とからなるものとし、また、内向き鍔部（２９）より内側の抵抗力付与手段（３４）は、２個の皿ばね（３２）と２個の摩擦板（３３）とからなるものとしてある。
【００２０】
各支持部材（２２）の内側面における偏心部には、軸（２３）と平行に突出する側面視円弧状の凸部（３５）が一体的に形成されており、それに対向する筒部（２０）の外端面には、円周方向の長さを凸部（３５）の同方向の長さより大とした円弧状の凹部（３６）が設けられ、凹部（３６）に凸部（３５）を嵌合することにより、支持筒（１３）における軸（２３）まわりの回動角度を、所要の範囲に規制しうるようにしてある。
【００２１】
なお、凸部（３５）を筒部（２０）側に設け、かつ凹部（３６）を支持部材（２２）側に設けてもよい。
【００２２】
図５〜図８に示すように、支持筒（１３）の横断面形状は、後部中央に、前方に向かって９０°の挾角をもって平面視Ｖ字状に拡開する頂角部を配設した直角二等辺三角形状とし、それに対向する昇降杆（１６）の後面を、支持筒（１３）の後部の前面にほぼ補形をなす形状とすることにより、昇降杆（１６）が支持筒（１３）内を、ねじれが生じることなく、常に円滑に上下動しうるようにしてある。
【００２３】
支持筒（１３）における後部中央の前面には、下端から上端よりやや下方の位置まで至る上下方向を向く溝条（３７）が設けられており、それに対応する昇降杆（１６）の下端後部には、常時は上記溝条（３７）内に嵌合し、昇降杆（１６）を予め定めた位置まで上昇させたとき、溝条（３７）の上端に係合して、昇降杆（１６）のそれ以上の上昇を阻止するようにした外向きの係合爪（３８）が設けられている。
【００２４】
この係合爪（３８）を、昇降杆（１６）の内方に向けて弾性変形可能なように、昇降杆（１６）と一体的に形成することにより、これを内方に弾性変形させて、昇降杆（１６）を支持筒（１３）から上方に抜き出したり、または逆に差し込んだりすることができる。
【００２５】
昇降杆（１６）を支持筒（１３）から抜き出す際には、開口（１２）から閉塞部材（１８）を外し、開口（１２）に指を挿入して、溝条（３７）の上端に係合している係合爪を、内方に弾性撓曲させて、容易に係合を解除させることができる。
【００２６】
閉塞部材（１８）は、縦長の方形板状をなし、その下端部を、支持筒（１３）の前面における開口（１２）の下縁部の内側に挿入し、かつ上端部に設けたボス部（３９）を、支持筒（１３）の前面における開口（１２）の上部に突設した突軸（４０）に嵌合し、かつ突軸（４０）の前端に止着した止めねじ（４１）の頭部（４１ａ）で、ボス部（３９）を突軸（４０）から抜け止めし、さらに、中位部の両側より後方に向けて延設した左右１対の外向き係止爪（４２）を、支持筒（１３）における開口（１２）の中位部両側面に設けた係合溝（４３）に嵌合係止することにより、支持筒（１３）の前面に、開口（１２）を閉塞するようにして取り付けられている。
【００２７】
閉塞部材（１８）の中央部には、上下方向を向く互いに平行な２条のスリット（４４）（４４）が設けられ、両スリット（４４）（４４）間に可撓片（４５）が形成されている。
【００２８】
可撓片（４５）の上端部には、薄肉とした易撓曲片（４６）が設けられ、その直下の可撓片（４５）の上部後面に、上述の横向き丸棒状の突条（１７）が後方に向かって突出するようにして設けられている。
【００２９】
この可撓片（４５）が前方に弾性撓曲することにより、突条（１７）が、昇降杆（１６）の複数の凹溝（１５）に選択的に弾性係合して、昇降杆（１６）を段階的な所望の高さに保持することができるのである。
【００３０】
図５及び図９〜図１１に示すように、昇降杆（１６）の上端部は、弾性を有する合成樹脂材料により、左右方向に開きかつ前方を向く二股Ｖ字状に形成し、各分岐部（４７）の前端には、短寸の横向き軸部（４８）と、その前面中央に突設した有頭軸（４９）とからなるヘッドレスト支持部（１４）がそれぞれ形成されている。
【００３１】
横向き軸部（４８）の前面は、前方に向かって突出する側面視凸形円弧状の枕受け面（４８ａ）をなしている。
【００３２】
有頭軸（４９）は、この枕受け面（４８ａ）の法線の方向を向くようにして突設された軸部（４９ａ）と、その前端に設けられた円板状の拡幅頭部（４９ｂ）と、この拡幅頭部（４９ｂ）の左右両側部の後面に設けられた半球状、または左右方向を向く半円柱状の突起（４９ｃ）とを備えている。なお、この例では、拡幅頭部（４９ｂ）は円板状としてあるが、左右方向に長い方形板状またはその他の形状としてもよい。
【００３３】
ヘッドレスト（１１）は、ほぼ倒立二等辺三角形状の後部シェル（５０）の前面に、クッション材（５１）と表装材（５２）とを前面に張着したほぼ同形の前部シェル（５３）を、着脱自在に取り付けたものよりなり、後部シェル（５０）の後面には、枕受け面（４８ａ）とほぼ同一曲率の側面視凹型円弧状の左右１対の嵌合面（５４）（５４）と、各嵌合面（５４）内において有頭軸（４９）の軸部（４９ａ）が挿通しうるようにした上下方向を向く左右１対の長孔（５５）と、各長孔（５５）の対向縁の中間部（または上下の端部）に、狭幅部（５６）を介して、互いに内方を向くように連設された拡大孔（５７）とが設けられている。
【００３４】
左右の長孔（５５）（５５）間の間隔は、外力を加えないときの左右の有頭軸（４９）（４９）間の間隔と同一とし、また各拡大孔（５７）の位置と大きさとは、昇降杆（１６）の上端部における左右の分岐部（４７）（４７）を互いに内方へ向かって弾性撓曲させることにより、左右の有頭軸（４９）の拡幅頭部（４９ｂ）を、対応する拡大孔（５７）に同時に、または１個を先に挿入して、その軸部（４９ａ）を狭幅部（５６）を通じて長孔（５５）内に位置させた後、他方を挿入するように、順次に挿入しうるような関係としてある。
【００３５】
したがって、左右の拡大孔（５７）（５７）を利用して、左右の有頭軸（４９）（４９）の軸部（４９ａ）（４９ａ）を、その前端の拡幅頭部（４９ｂ）（４９ｂ）が後部シェル（５０）の前方に位置するようにして、後部シェル（５０）の左右の長孔（５５）（５５）内に嵌合し、かつ左右の後部シェル（５０）の左右の嵌合面（５４）（５４）を、左右の枕受け面（４８ａ）（４８ａ）に嵌合して、後部シェル（５０）及びそれと一体のヘッドレスト（１１）全体を、昇降杆（１６）の上端部のヘッドレスト支持部（１４）に、横向き軸部（４８）（４８）を中心として上下方向に首振り可能として簡単に装着することができる。
【００３６】
有頭軸（４９）の拡幅頭部（４９ｂ）の両側部と、後部シェル（５０）の前面との間には、枕受け面（４８ａ）とほぼ同一の曲率中心の円弧状をなし、かつ上下の端部が、後部シェル（５０）の前面に突設した上下の突片（５８）（５９）の内側に係止され、中間部が前後方向に弾性撓曲しうるようにした合成樹脂製の板ばね材（６０）が配設されている。
【００３７】
板ばね材（６０）は、正面視縦長方形をなし、中央には、上端が開口するとともに、有頭軸（４９）の軸部（４９ａ）が挿通するようにした上下方向を向くスリット（６１）が形成されている。
【００３８】
板ばね材（６０）におけるスリット（６１）の両側方の前面には、有頭軸（４９）における拡幅頭部（４９ｂ）の後面両側部に設けられた突起（４９ｃ）が選択的に弾性係合しうるようにした複数の左右方向を向く凹条（凹部）（６２）が、上下方向にわずかの間隔をもって連続して設けられ、板ばね材（６０）の前面は、図１１に示すように、上下方向に連続する側面視波形面となっている。
【００３９】
この波形面に、有頭軸（４９）における各突起（４９ｃ）が圧接することにより、ヘッドレスト（１１）を横向き軸（４８）を中心として上下方向に回動させる際に、各突起（４９ｃ）が上下に隣接する凹条（６２）に一段ずつ歩進的に弾性係合し、ヘッドレスト（１１）の回動操作に節度感のある抵抗力を付与することができる。
【００４０】
すなわち、この例では、有頭軸（４９）における突起（４９ｃ）と板ばね材（６０）とにより、枕支持杆（１０）に対するヘッドレスト（１１）の回動に抵抗力を付与する抵抗力付与手段が形成されている。
【００４１】
この実施形態によると、解除レバー等を操作することなく、枕支持杆（１０）を前後方向に起倒させたり、ヘッドレスト（１１）を枕支持杆（１０）に対して回動させたりして、ヘッドレスト（１１）の位置と向きとを、着座者の体型や着座姿勢に応じて、適時に簡単に最適な状態にすることができる。
【００４２】
なお、ヘッドレスト（１１）を上下方向に回動させる必要がない場合は、長孔（５５）に代えて、有頭軸（４９）の軸部（４９ａ）とほぼ同径の縮小孔を拡大孔（５７）に連設し、両孔によりいわゆるだるま孔を形成し、有頭軸（４９）の拡幅頭部（４９ｂ）を拡大孔（５７）に挿通させて、有頭軸（４９）の軸部（４９ａ）を縮小孔に係合させることにより、ヘッドレスト（１１）を枕支持杆（１０）に簡単に取り付けることができるようにすることもできる。
【００４３】
【発明の効果】
請求項１記載の発明によると、枕支持杆の上端部の両側部同士を互いに内向きに弾性撓曲させて、両有頭軸を互いに近づけた状態で、両有頭軸の拡幅頭部を、ヘッドレストの後面における左右の拡大孔に挿通し、次いで、枕支持杆の上端部の復元力により、両有頭軸を互いに拡開させつつ、それらの軸部を、各取付孔における縮小孔にそれぞれ係合させるだけで、ヘッドレストを簡単かつ迅速に枕支持杆に取り付けることができる。
【００４４】
請求項２記載の発明によると、枕支持杆の上端部における左右の有頭軸が設けられた両側部が内向きに十分に弾性撓曲しうるようにすることができるとともに、
ヘッドレストを安定して支持することができる。
【００４５】
請求項３記載の発明によると、ヘッドレストを、上下方向に移動可能として安定して支持することができる。
【図面の簡単な説明】
【図１】本発明の一実施形態を備える椅子の正面図である。
【図２】同じく、側面図である。
【図３】同じく、平面図である。
【図４】図１のＩＶ−ＩＶ線に沿う横断平面図である。
【図５】図３のＶ−Ｖ線に沿う拡大縦断側面図である。
【図６】図５のＶＩ−ＶＩ線に沿う断面図である。
【図７】図５のＶＩＩ−ＶＩＩ線に沿う断面図である。
【図８】図５のＶＩＩＩ−ＶＩＩＩ線に沿う縦断正面図である。
【図９】図５のＩＸ−ＩＸ線に沿う横断平面図である。
【図１０】図９のＸ−Ｘ線に沿う縦断正面図である。
【図１１】図９のＸＩ−ＸＩ線に沿う縦断側面図である。
【符号の説明】
（１）脚
（２）支基
（３）座
（４）背凭れ
（５）軸
（６）支持杆
（６ａ）水平部
（６ｂ）起立部
（７）上部フレーム
（８）背当部材
（９）ヘッドレスト装置
（１０）枕支持杆
（１１）ヘッドレスト
（１２）開口
（１３）支持筒
（１４）ヘッドレスト支持部
（１５）凹溝（被係合部）
（１６）昇降杆
（１７）突条（係合部）
（１８）閉塞部材
（１９）分岐部
（２０）筒部
（２１）止めねじ
（２２）支持部材（支持部）
（２３）軸
（２４）拡径鍔部
（２５）（２６）雄ねじ部
（２７）平削面
（２８）袋ナット
（２９）内向き鍔部
（３０）中央孔
（３１）袋ナット（締め付け手段）
（３２）皿ばね
（３３）摩擦板
（３４）抵抗力付与手段
（３５）凸部
（３６）凹部
（３７）溝条
（３８）係合爪
（３９）ボス部
（４０）突軸
（４１）止めねじ
（４１ａ）頭部
（４２）外向き係止爪
（４３）係合溝
（４４）スリット
（４５）可撓片
（４６）易撓曲片
（４７）分岐部
（４８）横向き軸部
（４８ａ）枕受け面
（４９）有頭軸
（４９ａ）軸部
（４９ｂ）拡幅頭部
（４９ｃ）突起
（５０）後部シェル
（５１）クッション材
（５２）表装材
（５３）前部シェル
（５４）嵌合面
（５５）長孔（縮小孔）
（５６）狭幅部
（５７）拡大孔
（５８）（５９）突片
（６０）板ばね材
（６１）スリット
（６２）凹条（凹部）
【図１】
2004057399.tif 000003
【図２】
2004057399.tif 000004
【図３】
2004057399.tif 000005
【図４】
2004057399.tif 000006
【図５】
2004057399.tif 000007
【図６】
2004057399.tif 000008
【図７】
2004057399.tif 000009
【図８】
2004057399.tif 000010
【図９】
2004057399.tif 000011
【図１０】
2004057399.tif 000012
【図１１】
2004057399.tif 000013